(57)【特許請求の範囲】
【請求項１】
針ホルダから針を抜き取る装置において、
前記針を把持するための変形可能なアームを含む把持ユニットと、
前記針ホルダを受ける受容ユニットであって、前記把持ユニットと前記受容ユニットの少なくとも一方が、前記把持ユニットと前記受容ユニットの他方に関して移動可能であるような受容ユニットと、
前記把持ユニットと前記受容ユニットの少なくとも一方を第一の方向に付勢する付勢部材と、
前記針の全体を前記針ホルダから分離する分離手段と、
前記受容ユニットに備えられる作動ユニットであって、前記把持ユニットの前記アームが前記針を把持するように前記アームを変形させる作動ユニットと、
を備えることを特徴とする装置。
【請求項２】
前記把持ユニットは、そのホルダから分離された針を受ける空洞を含むことを特徴とする請求項１に記載の装置。
【請求項３】
前記作動ユニットは、前記把持ユニットと前記受容ユニットの前記移動可能な一方が前記第一の方向と反対の第二の方向に移動すると、前記把持ユニットの前記アームが前記針を把持すように前記アームを自動的に変形させることを特徴とする請求項１に記載の装置。
【請求項４】
前記把持ユニットの前記アームはテーパ状であり、
前記作動ユニットは環状の円板を備えることを特徴とする請求項１に記載の装置。
【請求項５】
前記分離手段が針を加熱し、前記針を前記針ホルダに接続している材料および／または接着剤を溶かし、柔らかくし、または脆弱化させることを特徴とする請求項１に記載の装置。
【請求項６】
前記分離手段は前記針によって完結する電気回路を備え、
前記電気回路を流れる電流は、前記針を前記針ホルダに接続している前記材料および／または接着剤を溶かし、柔らかくし、または脆弱化させて、前記把持ユニットと前記受容ユニットの前記移動可能な一方が、付勢ユニットに付勢されて第一の方向に移動でき、その間、前記把持ユニットの前記アームが前記針を把持して、前記針を前記針ホルダから分離することを特徴とする請求項５に記載の装置。
【請求項７】
１対の電気コンタクトは、それぞれ前記把持ユニットの１対の前記アームに設置され、
前記針は、前記アームによって把持された時に前記電気回路を完結させることを特徴とする請求項６に記載の装置。
【請求項８】
前記把持ユニットに選択的に接続可能であるカバーをさらに備え、前記カバーは第一の電気コンタクトを有し、
前記アームの一方は、その上に設置された第二の電気コンタクトを有し、
前記把持ユニットと前記受容ユニットの前記移動可能な一方が前記第二の方向に移動し、前記把持ユニットの前記アームに前記針の第二の端を把持させたことに続き、前記カバーを前記把持ユニットに接続すると、前記第一の電気コンタクトが前記針の第一の端と接触し、前記針を通じて前記電気回路が完結することを特徴とする請求項６に記載の装置。
【請求項９】
前記把持ユニットに選択的に接続可能であるカバーをさらに備え、前記カバーは内側突起を有し、
前記アームの一方は、その上に設置された第一の電気コンタクトを有し、
前記受容ユニットは、前記針から離れるように付勢されて、前記受容ユニット内で選択的に移動可能な第二の電気コンタクトを備え、
前記把持ユニットと前記受容ユニットの前記移動可能な一方が前記第二の方向に移動し、前記把持ユニットの前記アームに前記針を把持させたことに続き、前記カバーを前記把持ユニットに接続すると、前記突起が前記第二の電気コンタクトを移動させて前記針と接触させ、前記針を通じて前記電気回路が完結することを特徴とする請求項６に記載の装置。
【請求項１０】
前記第二の電気コンタクトは、前記針ホルダを中まで切り込んで前記針と接触するスパイクを備えることを特徴とする請求項９に記載の装置。
【請求項１１】
前記第二の電気コンタクトは、前記針ホルダの中まで焼き切るか、溶かし、前記針と接触する抵抗加熱素子を備えることを特徴とする請求項９に記載の装置。
【請求項１２】
前記抵抗加熱素子はニクロム線を含むことを特徴とする請求項１１に記載の装置。
【請求項１３】
前記針と接触し、前記針を通る追加の電流経路を提供する、前記受容ユニットに設置された第三の電気コンタクトをさらに備えることを特徴とする請求項１１に記載の装置。
【請求項１４】
前記把持ユニットは、前記針に同時に接触して、前記針を通じた前記電気回路を完結させ、前記針ホルダを切断し、その中まで溶かし、または焼き切る刃を備える抵抗加熱素子をさらに備えることを特徴とする請求項６に記載の装置。
【請求項１５】
前記針ホルダは前記針に接着されたビードを備え、
前記針・ビード組立体と選択的に接続されるペン型注入器は、前記針・ビード組立体をそこに接続するためのアダプタを含み、
前記分離手段は、前記把持ユニットと前記受容ユニットの前記移動可能な一方が前記第二の方向に移動すると、前記ビードを切断する、カンチレバー式アームに設置された刃を備え、前記カンチレバー式アームは前記受容ユニットに設置されていることを特徴とする請求項１に記載の装置。
【請求項１６】
前記ビードは穿孔されていることを特徴とする請求項１５に記載の装置。
【請求項１７】
前記ビードは、半径方向のスポークアームによって外側円筒体に接続された、前記針を保持するための円筒体を含むことを特徴とする請求項１５に記載の装置。
【請求項１８】
前記ビードは、前記針を保持する、内側に延びる半径方向のスポークアームを備える円筒体を含むことを特徴とする請求項１５に記載の装置。
【請求項１９】
前記装置と一体の針ディスペンサをさらに備えることを特徴とする請求項１に記載の装置。
【請求項２０】
針を針ホルダから分離する方法において、
第一の方向に付勢される受容ユニット内に前記針ホルダを受けるステップと、
前記受容ユニットを把持ユニットに関して、前記第一の方向と反対の第二の方向に移動させることによって、前記把持ユニットに前記針を把持させるように前記把持ユニットの変形可能なアームを変形させて、前記針を前記針ホルダから分離する分離手段を作動させるステップと、
前記針の前記把持を、前記分離手段が前記針の全体を前記針ホルダから分離するまで保持するステップと、
を含むことを特徴とする方法。
【請求項２１】
前記分離手段を作動させるステップは、前記針を通じた電気回路を完結させるステップを含むことを特徴とする請求項２０に記載の方法。
【請求項２２】
前記分離手段を作動させるステップは、前記針ホルダを切断するステップを含むことを特徴とする請求項２０に記載の方法。
【請求項２３】
針を針ホルダから抜き取る装置において、
前記針を選択的に把持するための変形可能なアームを含む把持ユニットと、
前記針ホルダを受ける受容ユニットであって、前記把持および受容ユニットの少なくとも一方が、前記把持および受容ユニットの他方に関して移動可能であるような受容ユニットと、
前記把持および受容ユニットの少なくとも一方を、前記把持および受容ユニットの他方から遠ざかる第一の方向に付勢する付勢部材と、
前記針全体を前記針ホルダから分離する分離手段と、
前記分離された針を保管する保管ユニットと、
前記受容ユニットに備えられる作動ユニットであって、前記把持ユニットの前記アームが前記針を把持するように前記アームを変形させる作動ユニットと、
を含むことを特徴とする装置。
【請求項２４】
針ホルダに接着され、および／またはその中に成形された針を分離する方法において、
変形可能なアームを変形させることによって前記針を把持するステップ、
前記アームに把持されている前記針を加熱して、前記針を前記針ホルダに接続している材料および／または接着剤を溶かし、柔らかくし、またはそれ以外の方法で脆弱化させるステップと、
前記針全体を前記針ホルダから分離するステップと、
を含むことを特徴とする方法。
【請求項２５】
前記加熱するステップは、前記針を電気的に加熱し、前記針を前記針ホルダに接続している前記材料および／または接着剤を溶かし、柔らかくし、または脆弱化させるステップを含むことを特徴とする請求項２４に記載の方法。
【請求項２６】
前記加熱するステップは、前記針を通じて電気回路を完結させるステップと、前記針に電流を流すステップと、を含むことを特徴とする請求項２５に記載の方法。
【請求項２７】
前記電流は、前記針の、前記針が前記針ホルダに接続されている部分に流れることを特徴とする請求項２６に記載の方法。
【請求項２８】
前記電流は、前記針の、前記針のうち前記針が前記針ホルダに接続されている部分以外の部分に流れ、熱は、前記針の、前記針が前記針ホルダに接続されている部分に伝導されることを特徴とする請求項２６に記載の方法。
【請求項２９】
前記加熱するステップは、電流を加熱素子に流すことを含むことを特徴とする請求項２５に記載の方法。
【請求項３０】
前記分離された手段を廃棄するステップをさらに含むことを特徴とする請求項２４に記載の方法。
【請求項３１】
前記針ホルダを廃棄するステップをさらに含むことを特徴とする請求項２４に記載の方法。
【発明の詳細な説明】
【技術分野】
【０００１】
本発明は、一般に、医療用針を抜き取り、抜き取られた針を保管する器具に関する。
【背景技術】
【０００２】
皮下注射針等の針またはペン型注入器用注射針を注射に使用した後、針を抜き取って、安全な容器に保管することが望ましい。当業界で公知の針保管用の鋭利物容器は、内側の箱部材と外側の筐体部材とを含む。箱と筐体の各々は、皮下注射針を受けるような寸法の穴を有する。箱と筐体は相互に蝶着され、開位置では、箱と筐体の穴が一致して、針を両方の穴に挿入して、箱の中に突き出すことができるようになっている。針を穴の中に挿入した後、箱と筐体を、例えば、はさみのような動きによって相互に関して動かすと、針が挟まれる。挟まれた針は箱内に落下し、保管されて、後で廃棄される。
【０００３】
Ｂｕｔｌｅｒの特許文献１は、針の一部を挿入した後に、針の少なくとも一部を約１７５０℃まで加熱し、その後、針を切断し、の一部を針ホルダまたはハブに残すような器具を開示している。同様に、Ｐｉｖａの特許文献２は、刃または針の一部を溶かし、刃または針の基部を切断して、刃または針の一部を針／刃ホルダまたはハブの中に残すような器具を開示している。Ｇｅｒｍａｉｎの特許文献３は、針とそのホルダまたはハブを針ステムによって保持し、使用者がハブをシリンジから捻り取るか、あるいは、ハブがシリンジに摩擦接合されている場合には、ハブから引き抜くことができるような器具を開示している。
【先行技術文献】
【特許文献】
【０００４】
【特許文献１】米国特許第６，５４５，２４２号
【特許文献２】米国特許第５，５４５，６８９号
【特許文献３】米国特許第４，８６７，３０９号
【特許文献４】米国特許第５，８７３，４６２号
【発明の概要】
【発明が解決しようとする課題】
【０００５】
しかしながら、上記の器具の各々では、針の一部が針ホルダの中に残る。したがって、針刺し事故による負傷の可能性が残り得る。これに加えて、針ホルダを医療廃棄物として処分しなければならず、リサイクルできない。その結果、針全体を抜き取る、改良された医療用針の抜取器具が望ましい。抜き取られた針の保管もまた望ましい。
【０００６】
本発明のある態様は、医療用針を抜き取り、保管するための器具を提供することである。
【課題を解決するための手段】
【０００７】
本発明の上記および／またはその他の態様は、針を針ホルダから抜き取る装置を提供することによって実現され、この装置は、
針ホルダから針を抜き取る装置において、
前記針を把持するための変形可能なアームを含む把持ユニットと、
前記針ホルダを受ける受容ユニットであって、前記把持ユニットと前記受容ユニットの少なくとも一方が、前記把持ユニットと前記受容ユニットの他方に関して移動可能であるような受容ユニットと、
前記把持ユニットと前記受容ユニットの少なくとも一方を第一の方向に付勢する付勢部材と、
前記針の全体を前記針ホルダから分離する分離手段と、
前記受容ユニットに備えられる作動ユニットであって、前記把持ユニットの前記アームが前記針を把持するように前記アームを変形させる作動ユニットと、
を備えることを特徴とする装置、を含む。
【０００８】
本発明の上記および／またはその他の態様はまた、針ホルダから針を分離する方法を提供することによっても実現され、この方法は、
針を針ホルダから分離する方法において、
第一の方向に付勢される受容ユニット内に前記針ホルダを受けるステップと、
前記受容ユニットを把持ユニットに関して、前記第一の方向と反対の第二の方向に移動させることによって、前記把持ユニットに前記針を把持させるように前記把持ユニットの変形可能なアームを変形させて、前記針を前記針ホルダから分離する分離手段を作動させるステップと、
前記針の前記把持を、前記分離手段が前記針の全体を前記針ホルダから分離するまで保持するステップと、を含む。
【０００９】
本発明の上記および／またはその他の態様はまた、針を針ホルダから抜き取る装置を提供することによっても実現され、この装置は、
針を針ホルダから抜き取る装置において、
前記針を選択的に把持するための変形可能なアームを含む把持ユニットと、
前記針ホルダを受ける受容ユニットであって、前記把持および受容ユニットの少なくとも一方が、前記把持および受容ユニットの他方に関して移動可能であるような受容ユニットと、
前記把持および受容ユニットの少なくとも一方を、前記把持および受容ユニットの他方から遠ざかる第一の方向に付勢する付勢部材と、
前記針全体を前記針ホルダから分離する分離手段と、
前記分離された針を保管する保管ユニットと、
前記受容ユニットに備えられる作動ユニットであって、前記把持ユニットの前記アームが前記針を把持するように前記アームを変形させる作動ユニットと、
を含むことを特徴とする装置、を含む。
【００１０】
本発明の上記および／またはその他の態様はまた、
針ホルダに接着され、および／またはその中に成形された針を分離する方法において、
変形可能なアームを変形させることによって前記針を把持するステップ、
前記アームに把持されている前記針を加熱して、前記針を前記針ホルダに接続している材料および／または接着剤を溶かし、柔らかくし、またはそれ以外の方法で脆弱化させるステップと、
前記針全体を前記針ホルダから分離するステップと、を含む。
【００１１】
本発明のまた別の、および／またはその他の態様と利点は、一部には以下の説明の中に記され、また一部には説明から明らかになり、または本発明の実践により分かるであろう。
【００１２】
本発明の上記および／またはその他の態様と利点は、添付の図面と併せて以下の詳細な説明を読めば容易に明らかとなるであろう。
【図面の簡単な説明】
【００１３】
【図１】本発明のある実施形態による針抜取および保管器具の概略断面図である。
【図２】図１の器具の動作時の概略断面図である。
【図３】本発明の他の実施形態による針抜取および保管器具の概略断面図である。
【図４】本発明の他の実施形態による針抜取および保管器具の概略断面図である。
【図５】本発明の他の実施形態による針抜取および保管器具の概略断面図である。
【図６】本発明の他の実施形態による針抜取および保管器具の概略断面図である。
【図７】図６の器具の動作時の概略断面図である。
【図８】本発明の他の実施形態による針抜取および保管器具の概略断面図である。
【図９】図８の器具の動作時の概略断面図である。
【図１０】本発明の他の実施形態による針抜取および保管器具の概略断面図である。
【図１１】図１０の器具の動作時の概略断面図である。
【図１２】図１０の器具の回路の概略図である。
【図１３】本発明の他の実施形態による針抜取および保管器具の概略断面図である。
【図１４】図１３の器具の動作時の概略断面図である。
【図１５】図１３の器具の回路の概略図である。
【図１６】本発明の他の実施形態による針抜取および保管器具の概略断面図である。
【図１７】図１６の器具の動作時の概略断面図である。
【図１８】本発明のある実施形態によるビード・針組立体の斜視図である。
【図１９】代替的なビードの斜視図である。
【図２０】代替的なビードの斜視図である。
【図２１】代替的なビードの斜視図である。
【図２２】図１８のビード・針組立体のための運搬ケースである。
【図２３】ペン型注入器用アダプタと図１８のビード・針組立体の接続を説明する部分斜視図である。
【図２４】ペン型注入器用アダプタと図１８のビード・針組立体の接続を説明する部分斜視図である。
【図２５】切断ユニットの部分斜視図である。
【図２６】本発明の他の実施形態による針抜取および保管器具の部分斜視図である。
【図２７】本発明の他の実施形態による運搬ケース兼針抜取および保管器具の両端の斜視図である。
【図２８】本発明の他の実施形態による運搬ケース兼針抜取および保管器具の両端の斜視図である。
【図２９】本発明の他の実施形態による運搬ケース兼針抜取および保管器具の斜視図である。
【図３０】本発明の実施形態による針抜取および保管器具がその上に設置された鋭利物容器の概略断面図である。
【図３１】本発明のある実施形態による針抜取および保管器具を含むケースの斜視図である。
【図３２】本発明のある実施形態による針抜取および保管器具がその上に設置されたペン型注入器用注射針ディスペンサの断面図である。
【図３３】本発明のある実施形態による針抜取および保管器具がその上に設置された、他のペン型注入器用注射針ディスペンサの斜視図である。
【図３４】本発明のある実施形態による針抜取および保管器具がその上に設置された、他のペン型注入器用注射針ディスペンサの斜視図である。
【発明を実施するための形態】
【００１４】
ここで、本発明の実施形態を詳細に見ていくが、その例が添付の図面に描かれており、図中、同様の要素には同様の参照番号が付されている。これらの実施形態の説明では、図面を参照することによって本発明を例示する。
【００１５】
上、下、軸方向、半径方向等の方向の説明は、本明細書において、参照の便宜のために使用されており、限定を目的としていない。これに加えて、簡潔にするために、「針」という単語は本明細書において、医療機器に使用される針、カニューレ、または細管を表すために使用されている。一般に、針を針ホルダに接着するには接着剤が使用される。例えば、図１に示されているように、針１０は針ホルダまたはハブ２０に接着され、ペン型注入器の端に取り付けるためのペン型注入器用注射針３０を形成する。金属針は、市販の接着剤（例えば、紫外線または熱硬化性エポキシ）を使ってペン型注入器用注射針のハブまたはシリンジに保持される。あるいは、針は成形工程中に、プラスチック製の針ホルダの中に接着剤を使用せずに埋め込まれてもよい。針ホルダの材料の例としては、ポリエチレンやポリプロピレンがある。
【００１６】
図１と図２は、本発明のある実施形態による針抜取および保管器具１００の概略断面図である。器具１００は、把持ユニット１０４と、把持ユニット１０４に関して移動可能に設置された受容ユニット１０８と、付勢ユニット１１２と、を含む。１つの実施形態によれば、付勢ユニット１１２はバネ１１２である。当業者であれば、他の付勢ユニットを使用してもよく、これも本発明の範囲から逸脱しないことが分かるであろう。付勢ユニット１１２は、受容ユニット１０８を第一の方向に付勢する。さらに、受容ユニット１０８は、第一の方向への受容ユニット１０８の移動を制限するためのウィング１４８を含む。
【００１７】
把持ユニット１０４は、第一と第二の鉗子のようなアーム（forceps-like arms）１１６と１２０および保管ユニット１２４を含む。受容ユニット１０８は、針ホルダ２０を受ける受容部１２８と、受容ユニット１０８が第一の方向とは反対の第二の方向に移動すると、自動的に第一と第二のアーム１１６と１２０に針１０を把持させる作動ユニット１３２と、を含む。
【００１８】
１つの実施形態によれば、第一と第二のアーム１１６と１２０の各々はテーパ部１３６を有し、作動ユニット１３２の内側には、それに対応するテーパ部１４０がある。１つの実施形態によれば、作動ユニット１３２は、受容ユニット１０８の１対の支持アーム１４４の間に保持される環状の円板を含む。作動ユニット１３２は、プラスチックまたは金属、例えばステンレススチールで作製されてもよい。他の実施形態によれば、作動ユニット１３２と受容ユニット１０８は単体構造として一体に形成される。
【００１９】
器具１００はまた、針ホルダ２０から針１０全体を分離する分離手段１５０を含む。図１と図２の実施形態において、分離手段１５０は、針１０によって完結する電気回路１５２を含む。電気回路１５２は、第一のアーム１１６に設置された第一と第二の電気コンタクト１５６と１６０を含む。さらに、電気回路１５２は電源１６４を含み、これは想像上の電圧源または想像上のバッテリ１６４として概略的に示されている。
【００２０】
電源１６４は、把持ユニット１０４または受容ユニット１０８のいずれにも設置されていないように描かれているが、当業者にとっては当然のことながら、電源１６４は把持ユニット１０４または受容ユニット１０８に設置されてもよく、これも本発明の範囲から逸脱しない。さらに、１つの実施形態によれば、電源１６４は自立型ユニットであってもよい。その他、電源１６４はバッテリ（例えば、ＡＡ、９Ｖまたは再充電可能バッテリ）等の携帯型直流電源であってもよいが、当業者であれば、他の電源、例えば交流壁コンセントまたは、自動車（例えば、救急車）の電気システム等を使用してもよく、これも本発明の範囲から逸脱しないことが分かるであろう。
【００２１】
図１と図２を参照すると、器具１００を使用するには、使用者は、ペン型注入器用注射針３０の針ホルダ２０を受容ユニット１０８の受容部１２８にセットしてから、受容ユニット１０８に向かって下方（第二の方向）に押し下げる。使用者が受容ユニット１０８を押し下げて、付勢ユニット１１２を圧縮すると、作動ユニット１３２のテーパ部１４０が第一と第二のアーム１１６と１２０のテーパ部１３６と摺動的に接触し、アーム１１６と１２０の端が、その当初の離間した位置から相互に向かって押し付けられ、それによって針１０を把持する。受容ユニット１０８の下方（第二の方向）への移動は、テーパ部１４０がテーパ部１３６に当たった状態で押し込まれ、第一と第二のアーム１１６と１２０がしっかりと針１０を把持するまで続く。この楔式の動作により、受容ユニット１０８が把持ユニット１０４に関して有効に一時的にロックされる。
【００２２】
さらに、第一と第二のアーム１１６と１２０が針１０を把持すると、第一と第二の電気コンタクト１５６と１６０が針１０と接触し、針１０を通じて電気回路１５２が完結する。電気回路１５２が完結すると、針１０の中を流れる電流により、針１０は電気回路１５２の抵抗素子として機能し、加熱される。この加熱によって、針１０を針ホルダ２０に接着している接着剤が溶けて、柔らかくなり、またはその他の方法で脆弱化し、または針１０が接着剤を使用せずに成形中に針ホルダ２０に埋め込まれている場合は、加熱によって針１０の周囲の針ホルダ２０のプラスチックが溶けて、柔らかくなり、またはその他の方法で脆弱化する。溶けて、柔らかくなり、または脆弱化すると、付勢ユニット１１２が受容ユニット１０８を上方（第一の方向）に移動させ、その結果、針ホルダ２０が、第一と第二のアーム１１６と１２０によって一時的に把持されたままの針１０に関して移動し、針１０全体が針ホルダ２０から分離される。
【００２３】
付勢ユニット１１２により引き続き受容ユニット１０８が第一の方向に移動されると、作動ユニット１３２のテーパ部１４０と第一と第二のアーム１１６と１２０のテーパ部１３６との間の接触が緩和される。それ故、針１０か針ホルダ２０から分離された後、第一と第二のアームはその当初の離間された位置に戻り、針１０が保管ユニット１２４の中へと落下する。この時点で、使用者は針ホルダ２０をリサイクルするか、または通常のごみとして廃棄することができ、その際、針刺し事故による負傷の恐れはない。
【００２４】
図１と図２に示される器具１００は、明瞭にするために、第一と第二の電気コンタクト１５６と１６０が針１０と針ホルダ２０の間の接合部から離れているように描かれている。しかしながら、好ましくは第一と第二の電気コンタクト１５６と１６０を針１０と針ホルダ２０の間の接合部の付近で針１０と接触させることによって、最小限の加熱量で接着部および／または、針１０を針ホルダ２０に保持している材料を溶かし、柔らかくし、または弱体化できる。さらに、第一と第二のアーム１１０と１２０が描かれているが、当業者であれば、それより多くのアームまたはアームとアンビルの構成を使用してもよく、それも本発明の範囲を逸脱しないことが分かるであろう。
【００２５】
１つの実施形態によれば、器具１００は略口紅の容器の大きさである。さらに、１つの実施形態によれば、器具１００は、保管ユニット１２４が特定の容量に達したことを使用者に知らせる表示手段、例えば表示ランプを含む。さらに、１つの実施形態によれば、電力需要を管理するための、例えばバッテリの交換または再充電が必要になったことを示す同様の機能を含む。
【００２６】
図３は、本発明の他の実施形態による針抜取および保管器具１７０の概略断面図である。器具１７０は、図１と図２に示される器具１００と実質的に同様であるが、例外として、受容ユニット１７２がペン型注入器用注射針のハブを受ける代わりに、針ホルダ５０のハブを受けており、これが針４０と共にシリンジ用注射針６０を形成している。
【００２７】
図４は、本発明の他の実施形態による針抜取および保管器具１８０の概略断面図である。図１から図３の実施形態と異なり、器材１８０は、電気コンタクトではなく、加熱素子１８４を含む。加熱素子１８４は、例えば、適当に選択された高抵抗ニクロム線１８４であってもよい。さらに、針１０に電流を通すのではなく、加熱素子１８４が針１０と接触し、これを直接加熱して、その結果、糊付け部または接着部および／または針１０を針ホルダ２０に保持している材料を溶かし、柔らかくし、またはその他の方法で脆弱化させる。
【００２８】
器具１８０はまた、電気回路１８８を含む分離手段１８２も含む。電気回路１８８は、加熱素子１８４とスイッチ１９２を含む。１つの実施形態によれば、使用者は、受容ユニット２０４を押すことによって、把持ユニット２１６の第一と第二のアーム２０８と２１２が針１０を把持し、加熱素子１８４が針１０と直接接触するようにした後、スイッチ１９２を作動させ、電気回路１８８を完結させる。使用者は、第二の付勢ユニット２００、例えば板バネによって上方に付勢されているボタン１９６を押すことにより、スイッチ１９２を作動させる。電気回路１８８が完結すると、加熱素子１８４に電流が流れ、その結果、針１０が直接加熱されて、接着部および／または、針１０を針ホルダ２０に保持している材料を溶かし、柔らかくし、または脆弱化させる。
【００２９】
図４に示される実施形態において、電源２２０は、把持ユニット２１６に接続された筐体２２４の中に設置されている。さらに、器具１８０は保管ユニット２３２の中に設置された磁石２２８を含む。針ホルダ２０から分離された後、磁石２２８がその針１０を保管ユニット２３２に引き付けるため、器具１８０は、針１０を保管ユニット２３２に移動させる重力に依存していない。当業者であれば、受容ユニット２０４を、図４に描かれているペン型注入器用注射針ではなく、シリンジ用注射針またはその他の医用針を受けるように構成してもよく、それも本発明の範囲を逸脱しないことが分かるであろう。
【００３０】
図５は、本発明の他の実施形態による針抜取および保管器具２４０の概略断面図である。器具２４０は図１と図２に示される器具１００と実質的に同様であるが、例外として、電源２４４が把持ユニット２４８の中に設置され、第一と第二の電気コンタクト２５２と２５６がそれぞれ、把持ユニット２４８の第一と第二のアーム２６０と２６４に設置されている。器具２４０は、電気回路２４６を含む分離手段２４２を含む。当業者であれば、受容ユニット２６８を、図５に示されるペン型注入器用注射針ではなく、シリンジ用注射針またはその他の医療用針を受けるように構成してもよく、これも本発明の範囲を逸脱しないことが分かるであろう。
【００３１】
図６は、本発明の他の実施形態による針抜取および保管器具２７０の概略断面図である。前述の実施形態と異なり、器具２７０は、針の両端に接触し得る場合に、この針を針ホルダから完全に抜き取る方向に関する。受容ユニット２７２と付勢ユニット２７６は、図１と図２に示されるものと実質的に同様である。しかしながら、それと異なり、把持ユニット２８０は、第一のアーム２８６に設置された第一の電気コンタクト２８４と、把持ユニット２８０の外面に設置された第一の電気カプラ２９０と、を含む。さらに、器具２７０はカバーまたはキャップ２９２を含み、これは第二の電気コンタクト２９６、電源３００、第二の電気カプラ３０４を含む。
【００３２】
動作時には、図７に示されるように、使用者はまず、ペン型注入器用注射針３０を受容ユニット２７２にセットし、第一と第二のアーム２８６と２８８が針１０を把持し、かつ第一の電気コンタクト２８４が針１０の遠位部に接触するまで、受容ユニット２７２を押す。次に使用者は、カバー２９２を把持ユニット２８０に接続する。そのようにする中で、第二の電気コンタクト２９６が針１０の近位部と接触し、第二の電気カプラ３０４が第一の電気カプラ２９０と連結して、電気回路３０８が完結する。分離手段３１０は電気回路３０８を含む。
【００３３】
電気回路３０８が完結すると、針１０に電流が流れる。より詳しくは、前述の実施形態と異なり、電流が針１０のうちの、接着剤によって針１０を針ホルダ２０に接着されている部分および／または材料によって針１０が針ホルダ２０に保持されている部分に流れる。これによって、針１０と針ホルダ２０の間の接合部に直接抵抗加熱（resistive heating directly）が行われるが、前述の実施形態は、針に沿って軸方向に伝わり、接合部に到達する熱伝達に依存している。換言すれば、前述の実施形態では、電気コンタクトまたは加熱素子が針１０と針ホルダ２０の間の接合部の付近で針と接触するが、電気コンタクトを使用する実施形態であっても、接合部において針に電流が流れない。その代わりに、針の一部（または加熱素子）を流れる電流が針を加熱し、この熱は、針に沿って軸方向に接合部まで伝達され、接着部および／または針１０を針ホルダ２０に保持している材料を溶かし、柔らかくし、または脆弱化させる。これに対して、図６と７に示される器具２７０では、接合部がより素早く加熱され、したがって、針もより素早く抜き取られる。
【００３４】
１つの実施形態によれば、カバー２９２は透明であり、それによって使用者には針１０が針ホルダ２０から抜き取られたのが見える。他の実施形態によれば、電気回路３０８は、カバー２９２の外部に設置された表示ランプを含み、これは電気回路３０８が完結すると点灯し、電気回路３０８が第一と第二のアーム２８６と２８８が分離し、針１０が移動して保管ユニット３１２の中に入ることによって切断されると消灯する。
【００３５】
図８は、本発明の他の実施形態による針抜取および保管器具３２０の概略断面図である。図６と図７の実施形態と同様に、器具３２０において、把持ユニット３２４は、第一のアーム３３２に設置された第一の電気コンタクト３２８と、把持ユニット３２４の外部に設置された第一の電気カプラ３３６と、を含む。しかしながら、受容ユニット３４０はシリンジ６０の針ホルダ５０を受ける。さらに、受容ユニット３４０は、受容ユニット３４０の中心軸から半径方向に離れるように付勢される第二の電気コンタクト３４４を含む。それ故、シリンジ用注射針６０が受容ユニット３４０の中央に受けられると、第二の電気コンタクト３４４は、シリンジ用注射針６０から半径方向に離れるように付勢される。
【００３６】
１つの実施形態によれば、第二の電気コンタクト３４４は、針ホルダ５０の中まで切り込んで針４０と接触するスパイク３４４である。さらに、スパイク３４４は、板部材３４８を含み、半径方向に外側のその面に第三の電気コンタクト３５２が設置されている。スパイク３４４は、受容ユニット３４０の半径方向の経路３５６の中で半径方向に移動可能であり、板部材３４８は、半径方向の経路３５６のそれと一致する中心軸を有する、より大径の半径方向の経路３６０の中で半径方向に移動可能である。板部材３４８は、半径方向の経路３５６と３６０の中心軸に関して、ある角度をなす。さらに、より大径の半径方向の経路３６０の中に設置された第二の付勢ユニット３６４（例えば、スパイク３６４）は、板部材３４８（したがって、スパイク３４４）を半径方向に外側に付勢する。カバー３６８は、電源３７６に電気的に接続された第二の電気カプラ３７２を含み、電源自体は、カバー３６８の内側への突起３８４に設置された第四の電気コンタクト３８０に電気的に接続される。
【００３７】
動作時には、図９に示されるように、使用者はまず、シリンジ用注射針６０を受容ユニット３４０にセットし、第一と第二のアーム３３２と３３４が針４０を把持し、かつ第一の電気コンタクト３２８が針４０と接触するまで、受容ユニット３４０を押す。それから、カバー３６８を把持ユニット３２４と接続することによって、突起３８４が、半径方向の経路３６０に接続された軸方向の経路またはスロット３８８を通り、板部材３４８とスパイク３４４を半径方向に内側に駆動して、針ホルダ５０を切断し、針４０と接触し、第四の電気コンタクト３８０が第三の電気コンタクト３５２と接触する。スパイク３４４は、接着剤が針４０を針ホルダ５０に接着している部分および／または材料が針４０を針ホルダ５０に保持している部分において、針４０と接触する。さらに、第二の電気カプラ３７２が第一の電気カプラ３３６と連結し、その結果、電気回路３９２が針４０を通じて完結する。それ故、器具３２０もまた、針４０と針ホルダ５０の間の接合部の接着剤および／または材料を加熱し、それによって溶かし、柔らかくし、または脆弱化させる。分離手段３９０は電気回路３９２を含む。
【００３８】
針４０が保管ユニット３９６の中に移動したところで、使用者はカバー３６８を外し、その結果、電気回路３９２が切断される。カバー３６８を外した後、スパイク３４４と板部材３４８は、第二の付勢ユニット３６４からの力を受けて半径方向に外側に移動して、スパイク３４４を針ホルダ５０から外す。この時点で、使用者は針ホルダ５０をリサイクルまたは廃棄でき、それには針刺し事故による負傷の危険が伴わない。
【００３９】
カバー３６８と同様に、図１０から図１２に示される、他の実施形態による針抜取および保管器具４００のカバー４０４は、カバー４０４に設置された突起４０８と電源４１２を含む。さらに、受容ユニット４１６は軸方向の経路４２０を含み、その中で突起４０８が移動し、板部材４２４は第二の付勢ユニット４２８によって半径方向に外側に付勢される。しかしながら、受容ユニット４１６は、スパイクではなく、加熱素子４３２、例えばニクロム線４３２を含み、これは電源４１２に接続されると、針ホルダ２０を中まで焼き切るか溶かし、針１０と接触する。
【００４０】
加熱素子４３２を電源４１２に接続するために、板部材４２４は、加熱素子４３２に電気的に接続された１対の電気コンタクト４３６を有する。突起４０８は、電源４１２に接続された、それに対応する１対の電気コンタクト４４０を有する。動作時には、使用者はペン型注入器用注射針３０を受容ユニット４１６にセットし、受容ユニット４１６を、第一と第二のアーム４４４と４４８が針１０を把持するまで押す。その後、カバー４０４を把持ユニット４５２に接続している間に、突起４０８は軸方向の経路４２４の中で移動し、板部材４２４と接触し、それぞれの電気コンタクト４３６と４４０を接続し、板部材４２４を半径方向の経路４５６の中で半径方向に内側に駆動する。板部材４２４を、半径方向の経路４５６を通じて駆動することによって、加熱素子４３２が半径方向の経路４６０を通じて駆動され、針ホルダを中まで焼き切るか溶かし、針１０と接触すると、接着剤が針１０を針ホルダ２０に接着している接合部および／または材料が針１０を針ホルダ２０に保持している接合部において針が加熱される。
【００４１】
針１０が保管ユニット４９６の中に移動したところで、使用者はカバー４０４を外し、その結果、電気回路４６２が切断される。カバー４０４を外した後、加熱素子４３１と板部材４２４は、第二の付勢ユニット４２８からの力を受けて半径方向に外側に移動し、加熱素子４３２を針ホルダ２０から外す。この時点で、使用者は針ホルダ２０をリサイクルまたは廃棄でき、それには針刺し事故による負傷の危険が伴わない。分離手段４５８は電気回路４６２を含む。
【００４２】
図１１に示されるように、加熱素子４３２は１対の加熱素子４６８と４７２を含み、これらはそれぞれ抵抗Ｒ１とＲ２を有する。接続された時の電気回路４６２は図１２のように表すことができる。この状態では、電気回路４６２の全抵抗はＲ１＋Ｒ２である。
【００４３】
器具４００と同様に、図１３から図１５は他の実施形態による針抜取および保管器具４８０を示す。第一と第二の抵抗加熱素子４８８と４９２を含む加熱素子４８４に加えて、器具４８０はまた、第一のアーム５００に設置される第一の電気コンタクト４９６を有する。さらに、把持ユニット５０８は、電源５１６のほかに第一の電気コンタクト４９６に電気的に接続される第一の電気カプラ５１２を含む。
【００４４】
カバー５２０は、第二の電気カプラ５２４と、第二と第三の電気コンタクト５３２と５３６がその上に設置された突起５２８と、を含む。受容ユニット５４０は、加熱素子４８４に電気的に接続された板部材５４４を含み、その上に設置された第四と第五の電気コンタクト５４８と５２２を有し、これらはそれぞれ第二と第三の電気コンタクト５３２と５３６に接続される。
【００４５】
動作時には、図１４に示されるように、使用者はまず、ペン型注入器用注射針３０を受容ユニット５４０にセットし、第一と第二のアーム５００と５０４が針１０を把持し、かつ第一の電気コンタクト４９６が針１０と接触するまで、受容ユニット５４０を押す。その後、カバー５２０を把持ユニット５０８と接続することによって、突起５２８が受容ユニット５４０の軸方向の経路５５６の中で移動し、突起５２８の上の第二と第三の電気コンタクト５３２と５３６が板部材５４４の上の第四と第五の電気コンタクト５４８と５５２と接触し、板部材５４４と加熱素子４８４を半径方向に内側に、針１０に向かって駆動する。さらに、第一と第二の電気カプラ５１２と５２４は相互に連結されて、電気回路５６０が完結する。分離手段５５８は電気回路５６０を含む。
【００４６】
図１４に示される状態で、加熱素子４８８は針ホルダ２０の中まで焼き切るか、溶かし、針１０と接触し、電流が加熱素子４８４だけでなく、第一のアーム５００に設置された第一の電気コンタクト４９６を介して針１０に流れる。電気回路５６０の両方の経路を流れる電流を図１５のように概略的に表すことができる。この状態において、電気回路５６０の全抵抗はＲ１＋（（Ｒ２×Ｒ３）／（Ｒ２＋Ｒ３））である。それ故、電気回路５６０の両方の経路を流れる電流によって生じる抵抗は、より小さく、その結果、より大きなパワーが発散され、その結果、より速く針１０の加熱し、接着剤が針１０を針ホルダ２０に接着している、および／または材料が針１０を針ホルダ２０に保持している接着接合部をより速く溶かし、柔らかくし、または脆弱化させることになる。
【００４７】
針１０が保管ユニット５６４へと移動したら、使用者はカバー５２０を取り外し、それによって電気回路４５０が切断される。カバー５２０を外した後、加熱素子４８４と板部材５４４は、第二の付勢ユニット５６８の力を受けて半径方向に外側に移動し、加熱素子４８４を針ホルダ２０から外す。この時点で使用者は針ホルダ２０をリサイクルまたは廃棄することができ、それには針刺し事故による負傷の危険が伴わない。
【００４８】
図１６と図１７は、本発明の他の実施形態による針抜取および保管器具５８０の概略断面図である。器具５８０は、ペン型注入器用注射針３０を受ける受容ユニット５８４と、第一の付勢ユニット５８８と、第一と第二のアーム５９６と５９８を含む把持ユニット５９２と、を含む。器具５８０はまた、第一のアーム５９６に設置された分離手段６００も含む。
【００４９】
分離手段６００は、電気回路６０４と、アーム５９６の上に移動可能に設置され、第二の付勢ユニット６１２によって上方（第一の方向）に付勢される刃取付手段６０８と、刃取付手段６０８に設置される刃６１６と、を含む。電気回路６０４は、第一の電気コンタクト６２０と、電源６２４と、第二の電気コンタクト６２８と、を含む。電気回路６０４はまた、刃６１６に電気的に接続されて、刃取付手段６０８のネック部６３６に取り付けられた電気コンタクト板部材６３２を含む。
【００５０】
刃取付手段６０８は、下側フランジ６４０と刃６１６がその上に取り付けられる上側取付部６４４を接続するネック部６３６を含む。第一のアーム５９６は、下側フランジ６４０を移動可能に保持するポケット６４８を含む。動作時には、図１７に示されるように、使用者はまず、ペン型注入器用注射針３０を受容ユニット５８４にセットし、その後、第一と第二のアーム５９６と５９８が針１０を把持し、かつ第一の電気コンタクト６２０が針１０と接触するまで、受容ユニット５８４を押す。受容ユニット５８４のこの動きによって、刃６１６もまた針１０および針ホルダ２０と接触し、その結果、刃取付手段６０８が押し下げられ、電気コンタクト板部材６３２が第二の電気コンタクト６２８と摺動的に接触し、針１０を通じた電気回路６０４が完結する。
【００５１】
針ホルダ２０を切断することに加えて、刃６１６は、電気回路６０４の一部であることにより、針ホルダ２０を溶かし、または焼き切る抵抗加熱素子としての役割も果たす。それ故、刃６１６が切断し、溶かし、または焼き切ることと、針１０を通る電流によって針１０が加熱されることとが組み合わされて、針１０を針ホルダ２０から素早く分離することができる。
【００５２】
図１から図１７の特定の実施形態は、ペン型注入器用注射針用ホルダから針を取り外すことに関するものであるが、当業者であれば、一般にこの概念はまた、シリンジについても実施できることが分かるであろう。反対に、当業者であれば、針をシリンジ用注射針ホルダから抜き取ることに関する実施形態をペン型注入器用注射針にもまた実施できることが分かるであろう。
【００５３】
図１８は、本発明のある実施形態によるペン型注入器のためのビード・針組立体（bead-needle assembly）６６０の斜視図である。ビード・針組立体６６０は、針６６４とビード６６８を含む。１つの実施形態によれば、針６４４は標準的なペン型注入器用注射針カニューレであり、ビード６６８は軟質のゴム様材料、例えば、液体シリコンゴム（ＬＳＲ）または熱可塑性エラストマ（ＴＰＥ）からなる。１つの実施形態によれば、ビード６６８は針６６４と一体に成形される。ビード６６８がゴム様材料で作製される理由は、使用後にビード６６８を針６６４から外しやすいからである。
【００５４】
図１９から図２１は、針６６４と使用可能な代替的なビードを示す。図１９において、ビード６７２は実質的に円筒形であり、針６６４を収容するための貫通する中央穴６７６を有する。さらに、ビード６７２には穿孔部６８０がある。図２０のビード６８４は、半径方向のスポークアーム６９０によって接続される外側円筒体６８８と、針６６４を収容するための貫通する中央穴６９６を有する内側円筒体６９２と、を含む。図２１に示されるように、ビード７００は円筒体７０４を含み、これは内側に延びる半径方向のスポークアーム７０８を有し、これらは円筒体７０４の中の中央に集合し、針６６４を収容する。
【００５５】
図２２は、複数のビード・針組立体６６０のための運搬ケース７１２の斜視図である。図２２に示されるように、ビード・針組立体６６０は、ハチの巣様のマトリクスパッケージ７１２にパッケージ化することができる。この種のパッケージ化は、包装密度の点および運搬ケース７１２の製造に必要なプラスチックの量の点で効率的である。ビード・針組立体６６０を運搬ケース７１２の各個室７１６に挿入した後、取り外し可能な密閉タブまたはラベル７２０を個室７１６に固定し、ビード・針組立体６６０の滅菌性を使用時まで保持する。
【００５６】
図２３と図２４に示されるように、ビード・針組立体６６０をペン型注入器に接続するために、ペン型注入器と接続するためのねじ山が設けられたアダプタ７２４が選択的にビード・針組立体６６０に固定される。アダプタ７２４は、ペン型注入器のねじ山付の端と接続するためのねじ山部７２８を含む。さらに、アダプタ７２４は複数のカンチレバー式アーム７３２を含み、その自由端にフック７３６が設けられる。ビード・針組立体６６０をアダプタ７２４に取り付けるために、使用者はまず、アダプタをペン型注入器に螺合させる。しかしながら、図２４においては、明瞭にするために注入器が省略されている。その後、使用者は、アダプタ７２４とビード・針組立体６６０を軸方向に心合わせし、アダプタ７２４をビード組立体に押し付ける。フック７３６の傾斜面はビード６７２と接触し、カンチレバー式アーム７３２の端を外側に向かって移動させ、それによってカンチレバー式アームはビード７８２の周囲で摺動できる。フック７３６が、図２４に示されるようにビード６７２の遠位端を通過すると、カンチレバー式アーム７３２は、その当初の位置にスナップ式に戻り、フック７３６によってビード・針組立体６６０がアダプタ７２４に固定される。
【００５７】
図２５は、切断ユニット７４０の部分斜視図であり、図２６は本発明の他の実施形態による切断ユニット７４０を利用する針抜取および保管器材具７５０の部分斜視図である。分離手段７３８は切断ユニット７４０を含む。切断ユニット７４０は基部７４４を含み、これは複数のカンチレバー式アーム７４６を有し、その各々がその自由端に刃７４８を有する。カンチレバー式アーム７４６は、基部７４４の周囲に円周方向に離間されて、アダプタ７２４のカンチレバー式アーム７３２をそれらの間に収容する。図２６に示されるように、受容ユニット７５２の近位端は、切断ユニット７４０をしっかりと保持するケージ７５６を含む。１つの実施形態によれば、ケージ７５６は、切断ユニット７４０を選択的に保持するように構成され、それによって切断ユニット７４０は、刃７４８が鈍くなったら交換できる。
【００５８】
動作時に、使用者は、アダプタ７２４のカンチレバー式アーム７３２を切断ユニット７４０のカンチレバー式アーム７４６の間に整列させ、ペン型注入器を下方（第二の方向）に押し、それによって受容ユニット７５２を、把持ユニット７６４のアーム７６０が針６６４を把持するまで下方に移動させる。この運動中、切断ユニット７４０の刃７４８は、ビード６７２をスライスし、ビード６７２を針６６４から分離する。使用者がペン型注入器を引き抜くと、付勢ユニット７６８が受容ユニット７５２を上方（第一の方向）に移動させ、それによってアーム７６０はその初期の位置に戻り、針６６４は保管ユニット７７２に落下することができる。この時点で、使用者はアダプタ７２４からビード６７２の切片を除去して、切片をリサイクルまたは廃棄することができ、それには針刺し事故による負傷の危険が伴わない。
【００５９】
図２７と図２８は、本発明の他の実施形態による運搬ケース兼針抜取および保管器具７８０の両端の斜視図である。図２７に示されるように、器具７８０は、その第一の端に中央穴７８４を有し、これが針抜取および保管器具、例えば器具７５０にアクセスすることができる。器具７８０の反対の端は、図２８に示されるように、ビード・針組立体６６０を保管するための個室７８８を含む。取り外し可能な密閉タブまたはラベル７９２が個室７８８に固定され、ビード・針アセンブリ６６０の滅菌性が使用時まで保持される。
【００６０】
図２９は、本発明の他の実施形態による運搬ケース兼針抜取および保管器具８００の斜視図である。器具８００は、ビード・針組立体６６０を保管するための個室８０８を有する運搬ケース８０４を含む。取り外し可能な密閉タブまたはラベル８１２が個室８０８に固定され、ビード・針アセンブリ６８０の滅菌性が使用時まで保持される。さらに、運搬ケース８０４は中央開口部８１６を有し、そこから半径方向に外側に食い込む溝８２０がある。
【００６１】
１つの実施形態によれば、保管ユニット、例えば器具７５０の保管ユニット７７２は、多数の分離された針６６４を保持できる。より詳しくは、保管ユニット７７２は、運搬ケース８０４が担持できる数より多くの針６６４を保持できる。したがって、器具８００は分離可能な針抜取および保管器具ホルダ８２４を含み、その中には針抜取および保管器具、例えば針抜取および保管器具７５０が設置される。ホルダ８２４は、溝８２０に対応する軸方向のフィン８２８を有することにより、ホルダ８２４が運搬ケース８０４の中央開口部８１６の中に選択的に固定される。運搬ケース８０４の中のビード・針組立体６６０の全てを使い終わったら、使用者はホルダ８２４を運搬ケース８０４から取り外し、ホルダ８２４を、未使用のビード・針組立体６６０を有する新しい運搬ケース８０４に取り付けることができる。
【００６２】
図１８から図２９の実施形態は、ペン型注入器のための、基本的に異なる針アセンブリに関するが、当業者であれば、この概念はシリンジにも実施できることが分かるであろう。
【００６３】
図３０は、本発明の実施形態による針抜取および保管器具がその上に設置された鋭利物容器またはボックス８３２の概略断面図である。例えば、図３０に示されるように、鋭利物ボックス８３２は、ペン型注入器用注射針器材８３６と、シリンジ用注射針器材８４０と、ビード・針器材８４４と、を含む。さらに、鋭利物ボックス８３２は、３つのすべての器材８３６、８４０、８４４から抜き取られた針を保管する共通の保管ユニット８４８を含む。このボックス様の針抜取および格納器具は、例えば救急車の中や、クリニックや病院等の動かない場所で利用できる。
【００６４】
図３１は、本発明のある実施形態による針抜取および保管器具がその中に設置されたケース８５２の斜視図である。使用者は、針をケース８５２の側面のポート８５６に挿入し、針抜取および保管器具にアクセスする。ケース８５２は、使用者にとって便利な薄型の携帯ユニットとなる。
【００６５】
図３２は、本発明のある実施形態による針抜取および保管器具８７０がその上に設置されたペン型注入器用注射針ディスペンサ８６０の断面図である。ディスペンサ８６０は、第一の端のカバー８６４と、内部に設置された複数のペン型注入器用注射針８６６と、ペン型注入器用注射針８６６を第一の端に向かって前進させる前進ユニット８６８と、を含む。器具８７０は、使用者にとって都合よく、ディスペンサ８６０の第二の端に設置される。
【００６６】
図３３は、本発明のある実施形態による針抜取および保管器材９０４がその上に設置された、他のペン型注入器用注射針ディスペンサ９００の斜視図である。１つの実施形態によれば、ディスペンサ９００は、短い円筒形の本体９０８を有し、器具９０４は本体９０８の中に中央に設置される。しかしながら、当業者であれば、器材９０４のその他の形状とその他の位置も利用でき、これも本発明の範囲から逸脱しないことが分かるであろう。ディスペンサ９００は複数の個室９１２を有し、それに対応する複数のペン型注入器用注射針３０を保持する。各個室９１２は、個室９１２を密閉するための蓋またはカバー９１６を有する。
【００６７】
１つの実施形態によれば、使用者は蓋９１６を開け、個室または空洞９１２内のペン型注入器用注射針３０を露出させる。ペン型注入器用注射針３０は、滅菌紙カバー９２０を備えるプラスチックケースの中に格納されてもよく、または滅菌紙カバー９２０がそれに直接取り付けられてもよい。使用者は、ペン型注入器用注射針３０を（例えば、ディスペンサ９００を裏返すことによって）本体９０８から取り出し、滅菌カバー９２０を剥がし、ペン型注入器用注射針３０をペン型注入器に取り付ける。注射後、使用者が針３０の付いているペン型注入器を器具９０４の中に押し込むと、針１０が針ホルダ２０から抜き取られる。すると、使用者は針ホルダ２０をリサイクルまたは廃棄することができ、それには針刺し事故による負傷の危険が伴わない。あるいは、使用者は針ホルダ２０を個室９１２の中に戻し、蓋９１６を閉じて、より都合のよいときに針ホルダ２０をリサイクルまたは廃棄することができる。このような実施形態において、使用者は個室９１２に未使用のペン型注入器用注射針３０を補充できる。
【００６８】
図３４は、本発明のある実施形態による針抜取および保管器具９５２がそこに設置された、他のペン型注入器用注射針ディスペンサ９５０の斜視図である。１つの実施形態によれば、ディスペンサ９５０は、Ｎｇｕｙｅｎらの特許文献４に開示されているようなペン型注入器用注射針ディスペンサを含み、同文献の全体を参照によって本願に援用する。器具９００と同様に、ディスペンサ９５０は短い円筒形の本体９５６を有し、器具９５２は本体９５６の中央に設置される。しかしながら、当業者であれば、器具９５２のその他の形状やその他の位置も利用でき、これも本発明の範囲から逸脱しないことが分かるであろう。ディスペンサ９５０は、複数の個室または空洞９６０を有し、これに対応する複数のペン型注入器用注射針３０を保持する。
【００６９】
しかしながら、ディスペンサ９００と異なり、ディスペンサ９５０は各個室９６０のための蓋ではなく、回転式カバー９６４（図３４では、明瞭にするために、本体９５６から取り外されて示されている）を含む。カバー９６４は、器具９５２にアクセスするための中央開口部９６６と、個室９６０と選択的に整合させ、そこからペン型注入器用注射針３０を取り出すための選択用開口部またはスロット９６８と、を含む。１つの実施形態によれば、本体９５６はまたブランク領域９７２を含み、これは、輸送時に選択用開口部９６８と整合させることによって、ペン型注入器用注射針３０がディスペンサ９５０から出ないようにする。
【００７０】
使用時には、使用者はカバー９６４を回転させて、選択用開口部９６８を個室９６０の中の選択された１つと整合させ、ペン型注入器用注射針３０を（例えば、ディスペンサ９５０を裏返すことによって）取り出し、滅菌カバー９７６を取り除き、ペン型注入器用注射針３０をペン型注入器に取り付ける。注射後、使用者が針３０の付いたペン型注入器を器具９５２の中に押し込むと、針１０が針ホルダ２０から抜き取られる。すると使用者は、針ホルダ２０をリサイクルまたは廃棄することができ、それには針刺し事故による負傷の危険が伴わない。
【００７１】
他の実施形態によれば、使用者は個室９６０の中に針ホルダ２０を戻し、カバー９６４を回転させ、針ホルダ２０をより好都合な時にリサイクルまたは廃棄することができる。他の実施形態によれば、使用者は、個室９６０に未使用のペン型注入器用注射針３０を補充することができる。本発明の実施形態は、汚染された鋭利物を安全に廃棄できる携帯型の個人用鋭利物容器を提供するために使用でき、また、針の使用者による針処分関連規則の遵守状況を改善し得る。さらに、本発明の実施形態は、注入器の鋭利部を完全に抜き取り、その針を内部に保持し、それによって使用者は鋭利物を含まないプラスチック部品をリサイクルするか、通常のごみとして廃棄することができる。さらに、本発明の実施形態では、針１本あたりの占拠容積が小さいため、使用者はその鋭利物容器を頻繁に交換しなくてよくなる。さらに、保管ユニットそのものを、従来の鋭利物容器より大幅に小型化することができ、それ故、これはより便利で携帯可能なものとなる。このような便利さにより、鋭利物処分関連の規則遵守状況が改善され得る。さらに、複雑な電子機器も不要である。容易に入手できる電源、例えばＡＡまたは９Ｖバッテリ、またはボタン型乾電池を、本発明の実施形態による個人的な携帯型の針抜取可能保管器具に使用できる。
【００７２】
以上、本発明の例示的実施形態を数例のみ詳しく説明したが、当業者であれば、例示的実施形態に数多くの改良を加えることが可能であり、それも本発明の新規な教示と利点から実質的に逸脱しないことが容易に分かるであろう。したがって、全てのこのような改変は、付属の特許請求の範囲およびその均等物の範囲内に含まれるものとする。
【図１】
0005990577.tif 000002
【図２】
0005990577.tif 000003
【図３】
0005990577.tif 000004
【図４】
0005990577.tif 000005
【図５】
0005990577.tif 000006
【図６】
0005990577.tif 000007
【図７】
0005990577.tif 000008
【図８】
0005990577.tif 000009
【図９】
0005990577.tif 000010
【図１０】
0005990577.tif 000011
【図１１】
0005990577.tif 000012
【図１２】
0005990577.tif 000013
【図１３】
0005990577.tif 000014
【図１４】
0005990577.tif 000015
【図１５】
0005990577.tif 000016
【図１６】
0005990577.tif 000017
【図１７】
0005990577.tif 000018
【図１８】
0005990577.tif 000019
【図１９】
0005990577.tif 000020
【図２０】
0005990577.tif 000021
【図２１】
0005990577.tif 000022
【図２２】
0005990577.tif 000023
【図２３】
0005990577.tif 000024
【図２４】
0005990577.tif 000025
【図２５】
0005990577.tif 000026
【図２６】
0005990577.tif 000027
【図２７】
0005990577.tif 000028
【図２８】
0005990577.tif 000029
【図２９】
0005990577.tif 000030
【図３０】
0005990577.tif 000031
【図３１】
0005990577.tif 000032
【図３２】
0005990577.tif 000033
【図３３】
0005990577.tif 000034
【図３４】
0005990577.tif 000035